(57)【要約】      （修正有）【課題】実時間および実空間で作用しているパラダイムについて、指標パラメータの普遍軸および事前推定を与えて、普遍的に読み取り可能な所定制限下において来るべき変化を固定し、これによって相対時間および相対空間の既存システム内において細部まで行き届いた調整を行い、既存工学の時空に関する既存のパラドックスを制御変更する光学装置を設計すること。【解決手段】一つの実施態様では、顕微鏡などの直交動作システムの中心光軸内の所定位置に固定する光学装置を提供する。この装置は、中空管および顕微鏡などの直交動作システムの中心光軸にこの管を取り付けるマウントを有する。装置は、スプリッターがあたかも逐次的な技術革新または顕微鏡の延長であるかように動作する。同じ物体に２つの工学技術を集中した場合、一方は実時間および実空間で動作し、他方は相対時間および相対空間で動作する。【選択図】図１
2009106731.tif 000002
【特許請求の範囲】
【請求項１】
複数の付属装置を収容するヘッドをもつシームレス管からなり、普遍的に読み取り可能なパラメータを介して実時間および実空間において事前指針を立てることを特徴とする光学スプリッター。
【請求項２】
操作を行うために顕微鏡の中心に設けた７ｍｍの孔のみを開け、上記シームレス管の内径を４．２５ｍｍに、そして外径を６．５ｍｍに設定した請求項１に記載の光学スプリッター。
【請求項３】
ズーム顕微鏡または３ステップ倍率顕微鏡に使用する場合、シームレス管の長さが可変設定され、これら両顕微鏡において、上記シームレス管が、対応する顕微鏡の主光軸上の共焦点位置を占めて、いつでも読み取り可能な三次元普遍画像を生成する請求項１に記載の光学スプリッター。
【請求項４】
顕微鏡の中心に７ｍｍの孔を開け、請求項１に記載のシームレス管を挿入することからなる軸上画像を対象とする中心倍率光学チャンバを製造する方法。
【請求項５】
全体として、既存顕微鏡の画像にサイズが一致するように、請求項１に記載のシームレス管を介して、如何なる光学的パーツも使用せずに、低照明で実時間において撮像を行う方法。
【請求項６】
主光軸上で作動する、請求項１に記載のスプリッターを備え、可動倍率チャンバをもつ独立した光学開口が、フォーカシングを独立して実行できる状態で、顕微鏡に付随して移動する３ステップ倍率顕微鏡。
【請求項７】
レバーで光学的開口をあけた後に、パターンの投影、ハロゲン光、キセノン光、レーザを使用する用途に使用する請求項１に記載のスプリッター。
【請求項８】
物体と実用工具とが直交関係をもつ条件で、測定、検査、臨界的分析、操作、製造また生成に使用する実用工具に装着して使用できる請求項１に記載の光学装置。
【請求項９】
一定の内径をもつ細長い中空管のハウジングを有する非直交システムであって、この管を非直交システムに装着する装着マウントをもつ非直交システムの主光軸に沿って装着できることを特徴とする光学装置。
【請求項１０】
主光軸で中空管を支持する支持マウントを有する非直交動作システムに装着できることを特徴とする光学装置。
【請求項１１】
上記管の内径が４．２５ｍｍである請求項９に記載の光学装置。
【請求項１２】
上記管が、継ぎ目がなく、シームレスである請求項９に記載の光学装置。
【請求項１３】
上記管が、硬質材料から旋盤加工した一体管である請求項１１に記載の光学装置。
【発明の詳細な説明】
【技術分野】
【０００１】
実時間および実空間で作用しているパラダイムについて、指標パラメータの普遍軸および事前推定を与えて、普遍的に読み取り可能な所定制限下において来るべき変化を固定し、これによって相対時間および相対空間の既存システム内において細部まで行き届いた調整を行い、既存工学の時空に関する既存のパラドックスを制御変更することは、世界の歴史上初めてのことである。本発明システム（スプリッター）では、観察された画像（物体）および撮像画像（コンピュータ撮像画像）は、分析および作用法則の全体“等価性”を示すものである。理由は、倍率は正常視覚、即ち前に見えなかったものが現在見える状態の一環であるか、あるいは人間の視覚は、実時間および実空間の厳しい制限下では拡張、拡大するからである。何らかの指針がなくても、あるいは恐れを持たずに、正常な精神的な融通性や手先の運動性を利用できる。即ち、拡張視覚は、客観的/主観的の二項対立なしに、あるいはこれを超えて、進行中の手術に関して戦術的な全体像を与えるからである。
【背景技術】
【０００２】
現在まで、科学および工学は、手段が選択的であり、そして直交性（スプリッター）が、手段が結果に対して絶対的な優位性をもつことを証明した場合に、これら結果は、方法原理が、神の創造したものの規範、自然法則および宇宙の巨視的因果律を凌駕することを証明しなければならないと間違った考えを唱導してきた。理由は、手段または法則（科学）が方法原理（工学）の状況および尺度を教えているだけでなく、忘れ去れた真理、即ち“手段”は“目的”を正当化するという真理を証明する所定制限下にある工学を包摂するものであるからである。
【０００３】
科学（法則）および工学（手段）は、付随して作用するものではなく、また同質性や相互補足性を示すものでもない。（世界が前のステップに従うと考えられる）デジタル式、あるいは線形式で科学に従うならば、結果は間違いを示す、また（当業者が状況に従ってあらゆるステップを考え出す）平行形式、あるいはアナログ形式で科学および工学に従うならば、科学および工学は間違いを犯すという１００年も存続している古いパラドックスに、世界は直面している。
【０００４】
[外科用顕微鏡の歴史]
ＥＮＴに最初に顕微鏡が使用されたのは１９２１年である。
眼科学に顕微鏡が導入されたのは１９４２年である。
神経の外科手術に顕微鏡が使用されたのは１９６２年である。
神経の外科手術に電子制御式誘導顕微鏡が使用されたのは１９９２年である。
【０００５】
顕微鏡を導入してからほぼ８０年後の２０００年に、画像が“対物画像”から“接眼画像”に移るに従って、空間において譲歩を重ね、そして時間において退歩を重ね、倍率を歪め、そして実際は顕微鏡の本質であり、かつ真の尺度である顕微鏡のマスク越しの倍率“解像能”を歪める。
【０００６】
倍率の歪みから“解像能”を独立させ、また時間および空間の分散から倍率を独立させるために、“臨界時間制限”における“精密な点接触状態”を目的として“仮想現実（ＶＲ）”および“拡大現実（ＡＲ）”が導入された。
【０００７】
客観的参照点が直交（空間）端で作用して、時間的に無限の画像を永続的に生成し、時間的に無限な媒体（スプリッターの中空管）を介して撮像を行い、コンピュータによって客観的参照端（時間）で物体を最終的に分析し、かつ作用方向の合成を行い、物体（結果）および対応する作用力（原因）の全潜在的可能性を同時に可視化する場合、実時間および実空間における事前指標を立てることは、本発明によって可能になる。
【０００８】
空間の直交次元が、物体の信頼性があり、複製可能な画像を第１次元に対する“臨界的空間制限”の形で与えるため、この画像を実時間で撮像でき、（コンピュータによって）全現実を構成できる。次に、全現実をサイバー空間で分析、デジタル化、合成し、自由かつ容易にアクセスできる予測可能な作用方向で全現実が現れるようにし、従って予測不能な時間および空間の世界（時空世界）で作用を実行できる。
【０００９】
“帰納”次元および“演繹”次元で作用する非常に進んだ二つの工学を意図的に選択して、これら二つの工学の境界にある欠点が結局は長所になることを証明する。この場合、それぞれの工学からの不変の次元が最終的に合体して、“スプリッター”として現れる。
【００１０】
神経の外科用顕微鏡（図２）の電子的な双方向性を“可視的な双方向性”（図４）に変換し、目の手術時の角膜マッピング（図３）に使用される“直交性”を取り、普遍的に複製可能かつ読み取り可能な画像を得る。
【００１１】
[相対的世界の分析]
１．空間に関しては三つの次元があるが、人間が理解できるのは二つの次元だけであり、行為方向は一方向である。
２．過去、現在および未来の３つの時間帯があり、未来の時間帯はあいまいである。
[課題の解決を強いるインスピレーション]
１．“方向”、“時間”および“空間”は、視覚の主要な構成要素であり、視覚は、直覚的に方向、時間および空間にリンクする。
２．視覚は、方向に“同調”し、そして空間に“タイミングを合わせる”。
【００１２】
[誘因の転回点]
最近は、外科用顕微鏡の全てにおいて、“仮想現実”（作用している顕微鏡の部分画像が、コンピュータで作成した全画像に一致する）および“拡大現実”（コンピュータの全画像が顕微鏡の部分的に見える物体に投影される）を“電子双方向性”によってコンピュータでインターフェースしている。既存の顕微鏡を使用して、同じ物体に相互に合焦してその完全な画像を撮像する普遍的なパラダイムに基づいて作用する既存の光学システムから独立した、“可視的な双方向性”を構成することが試みられていた。
【００１３】
従来の顕微鏡の場合、部分画像が以下の特徴を持った状態で作用する。
ｉ）方向が可変である。
ｉｉ）時間が逐次的（一時的）である。
ｉｉｉ）この画像では“全体”を構成できず、全体分析ができない。
ｉｖ）画像が時間において退歩し、空間において譲歩するため、人間のペースが事象のペースに一致しない。
【００１４】
[外科用顕微鏡を“従来例”として、あるいは“スプリッター”の参考背景として選択した理由]
１．最も先端的なデータマッチング（仮想現実）およびデータパッチング（拡大現実）を先端的な外科用顕微鏡に適用して、全現実を視覚化するが、精度が具体的に保証されていないからである。これは、プロセスが構造的に制限される上に単極性であり、また最後の動きがオペレータ個々の判断に委ねられているからである。
２．きわめて高価（ダイヤモンドナイフなどの）で、並みの鋭さではなく、その上補正済みの器具を使用する上に、事象が休む間もなく、考える間もなく、また行動を起こす間もないほど速く生起するからである。２００マイクロ秒である０．２秒でも注意を怠ると、修復不可能なダメージが発生する。
３．価格も高く、また執刀者の臨機応変な手技が要求される装置（ここでは外科用顕微鏡）の場合、意識のなかの無意識のように、精神の延長として働くことが求められる。支配的な現実は、外科用顕微鏡ではなく、外科手術である。工学の場合、執刀者が、経験、精神的なペース、および手技に関係なく、手術を開始し、手術姿勢を維持し、また再度これを確保できるように、何がしたいか、そして次に何が起こるか合理的に予測できなければならない。
【００１５】
[“スプリッター”を設計するために利用できる既存の力]
１．目に見える世界および見えない世界は、不変な対称性および比例関係を示し、そして実時間と実空間との間に証明可能な対応関係がある。目に見える世界から見えない世界に進むためには、終始一貫した座標を使用して、普遍的なパラダイムに従って作用できるようにする。
２．（相互に直交する）直交性。この場合、以下のようにすれば、あらゆる画像が普遍的に読み取り可能になり、また複製可能になる。
（ａ）断面表示は定量化できるため、いつでも全ての関数関係（アルゴリズム）を直接利用でき、従って確立された静的プロセスを、誤差のない、目に見える予測可能な世界において望む時間の限り、相対時空世界を無視でき、また深く考えることができる力学的な“可視的双方向性”に変換できる。
直交性が可視的双方向性であるため、秩序のある視差世界が、物体とその（共役）像との間に成立するため、予測可能な方向を作り出すことができる。
ｉ）可視的予測可能性をもつ環境。即ち、全ての作用次元が、コンピュータが生成した可視的な最終結果に存在する環境。
ｉｉ）誤差のない工学環境。即ち、この環境では、普遍的な秩序をもつ所定の制限内で、時空世界を全体的に測定し、精査できる。
ｉｉｉ）先端工学：進んだ案内システムが、安全かつ容易な位置決めに常に役立ち、同じように手術作業が安全かつ容易である。
ｂ）コンピュータの助けがあれば、画像を二次元から三次元に変換できる。
ｃ）情報精度が高くなればなるほど、以降の分析および方策の正確さが高くなり、また手術時間をより効率よく利用できる。
【非特許文献１】Ａ  Ｐｒｅｃｉｓｉｏｎ  Ｌｏｃａｌｉｓｅｒ  ｔｏ  Ｅｎｈａｎｃｅ  Ａｃｃｕｒａｃｙ  ｉｎ  Ｉｍａｇｅ−Ｇｕｉｄｅｄ  Ｓｕｒｇｅｒｙ
【発明の開示】
【発明が解決しようとする課題】
【００１６】
光学装置を設計する。この場合、微小次元および巨大次元における実工学を度外視し、予測および推測を行うための普遍的に読み取り可能なパラメータにより実時間および実空間に予め指針を立て、完全な状態のみの予め予想された最終結果を求めることによって人間の性質および機械の構造に固有な技術の不十分さの影響を受けることはない。
【課題を解決するための手段】
【００１７】
また、光学装置を設計する。この場合、任意の直交作用する工学において必要な位置に設置した場合に、精神および機械の全体的な不十分さを排除することによって、完全かつ予測可能な結果を確保するように設計する。この装置は、形而上学的な領域で作用するもので、“スプリッター”と呼ぶ所以である。この装置は、実時間および実空間のより高次な時間帯を明白に分割生成し、相対時間および相対空間のより低次の時間帯における変化をモニターし、制御する。
【００１８】
実空間は、サイバー空間における分析および合成を受けることによって、普遍的に読み取り可能な作用次元を与え、予め立てた指針、自動化またはロボット光学によって人間の関与をなくすことによって全体的かつ独立的な指針をデジタル方式で樹立する。
【００１９】
実時間は、所定の制限下で人間の関与を許容するすべての忍耐力を担保し、状況の要求に従って手術ステップを必要なシーケンスに、および所望の作用ペースに合理的に変換する。
【００２０】
スプリッターは、因果関係−結果が、手段が原因を上回るという最初から存在する優位性まで手段を正当化する−という現在の考えを完全に相殺するものである。
【００２１】
科学および工学の世界には、三つの基本的な宇宙力のみが存在する。
１）空間  ２）時間  ３）方向
時間の性質に基づき、二つの時間帯を生成/画定して、これが共通物体に作用するようにする。
１）時間が実時間ならば、所定次元を具体的な作用方向に安定化することができ、変化が予測可能になる。“高次時間帯”と呼ぶ所以である。
２）時間が相対時間ならば、所望の最終結果について一つの次元および一つの作用方向を選択することは、常に、人間の努力である。これが相対世界であり、人間が生活している世界である。“低次時間帯”と呼ぶ所以である。
【００２２】
直交性のまさにその精神で完全に生命を吹き込まれたスプリッターは、これら二つの時間帯の境界を定めると同時に、予め低次時間帯に指針を与え、かつこれを保護して、誤差のない、高次時間帯の世界の方向で作用を行う。
【００２３】
スプリッターには二つ以上の作用効果がある。  
１）物体の次元に対して破綻のない、双方向関係を生成し、普遍的に読み出し可能なパラメータを永続的に生成する。低次時間帯において、関係が破綻すると、関係が確立されるのは、人間が装置（ここでは顕微鏡）に介入したときのみである。
２）対物側ではビデオカメラの倍率に、そして接眼側ではコンピュータに依存するスプリッターの場合、物体を全体として、あるいはサイバー空間の高次時間帯における自蔵サブユニット内で分析でき、許容できる精度をもって未来に延長でき、作用を開始する前に最終結果を見ることができる。
これにより、
実工学を度外視する方法、
人間および機械の不十分さ、
予め立てた、普遍的に読み取り可能な指針、および
許容できる精度での予測および推定
が証明されることになる。
【００２４】
直交性に基づくシステムは、
ｉ．シンプル（即ち、機能が装置の見た目やサイズに優先する）、
ｉｉ．人間（即ち、画像の次元が、人間の動力学に完全に近似する）、
ｉｉｉ．普遍性（即ち、“速度”および“容易さ”としての科学の恩恵が小さなサイズ、低コストで得られる、
ｉｖ．未来の展開（即ち、未来時間帯で作用できるように随伴工学を拡張できる）である。
【００２５】
[“スプリッター”の設計、製造および組み立ての指針原理（図２８を参照）]
形而上学が、経験世界において分析幾何学および総合数学によってきわめて具体的に解明でき、説明でき、かつ明白に証明できる世界であることを証明できて初めて、高次時間帯で作用できることになる。
【００２６】
物理学は、時間および空間が異質性を示す“条件付の”世界である。この世界に対処するためには、目、精神および手の全ての機能に空間および時間を加算減算して、正しい時期に正しい方向で正しい目標を設定する。
【００２７】
高次時間帯では、“条件付の”世界は、実証可能は双方向性と相互リンクし、“無条件の”世界は、通常、時間の制約および空間の制約がない全体中性を示す世界を作るために時間および空間が均質化している形而上学世界として知られている。ここでは、明瞭な境界を示す目標のみが、コンピュータによって除去処理され、従って人間が可視的で予測可能な変化を巧みに処理でき、人間の主観的な目視および客観的な時間が解放される。
【００２８】
人間は、１）パラダイム、および２）解像能によって形而上学または均質性の世界に到達できる。
【００２９】
[パラダイム]
異質性の世界を時間および空間が均質性の世界に変換するためには、三つの必須条件がある。
１）実空間または“臨界的空間限界”（即ち、これを完成するために、単一次元を必要としない）。
２）実時間または“時間ゼロの時間”（これを捉えるために、余計な時間を必要としない）。
３）実方向または“ゼロ軸”。
【００３０】
人間の原始的な視線および６７％の大脳皮質は、方向、空間および時間に同調し、そしてタイミングが同調している。
【００３１】
これら全ての力が相互に関与し合い、そしてお互いに活性化する。“臨界的な空間制限”がないと、時間をデジタル化できず、また実時間がないと、“臨界空間制限”は安定化しない。つまり、時間および空間を臨界的に精査し、正確に均質化して普遍性、無限性、永久性およびコンパクト性を獲得するのは方向である。
１）不変性：時間および空間の複合体を任意の場所、任意の時間で分析できる。
２）無限性：全ての時間、全ての場所にパラダイムを応用する。
３）永久性：時間の制約および空間の制約が全くない。
４）コンパクト性：目標が明白、構成が簡単、簡単な作用性のため、エネルギーを保存でき、最終結果を保存できる。
【００３２】
方向が構成を決定するため、直交性の幾何学的構成を合理的なものにし、また直交性を機能化するすべての創造的な垂直力および水平力を具体化できるようにスプリッターを設計できる。
【００３３】
最終的に、方向は、物体の全次元を確認し、捉え返すための“普遍視覚”には唯一の方向があるため、作用法則の確認、分析および応用における絶対的な等価性を確保する共役画像を生成する形而上学的原理に到達するために役立つ。
【００３４】
スプリッターを所要光学軸に設定し、何らかの装置（ここでは顕微鏡）においてこのスプリッターを物体に対して直交関係で機能させる場合、既存装置が相対時間で相対次元を撮像する物体の同じ次元から実時間で実次元を捕捉することによってスプリッターは、“双対性”を分割する。また、スプリッターを使用すると、形而上学と物理学の二つの時間帯を可視化するのに役立ち、またこれらがどのように相互リンクしているかを可視化するのに役立つ。
【００３５】
“形而上学”の高次時間帯は、“物理学”の世界を生成し、条件付けし、かつ制御するものである。
【００３６】
形而上学は、一旦全体として活性化すると、科学および工学は、現在考えられているほど実りのない営為でないことを明白に証明できるものである。形而上学は、格言的なフルサークルを自給自足的な実体として完成するものである。また、これは、信頼性があり、かつ証明可能で複製可能な客観性を生成でき、人間の介在を完全に排除できるものである。この排除の程度は、人間の存在（視覚）すらも、これを確認し、忘れられている真理、即ち普遍的な因果律は、人間の集団的理性よりも精密正確でコンパクトであることを証明するために必要ないほどである。
【００３７】
自己の客観性については、科学および工学の独立世界まで任意に安定化でき、許容度ゼロの世界を作り出し、デジタルデバイドを埋めることができ、そして手段は最終結果よりも公理的な優越性をもつことを証明できる。
【００３８】
高次（実）時間帯で完全に機能的な形而上学があれば、次の指針が立つことになる。
１）時間および方向としての主駆動力は、不可視であり、また時間ゼロで作用する。また、これらの力は単独では、座標に相関性がなく、可動であるが普遍的ある“ドット”として知られている空間との関係がゼロである。即ち、直交性（相互垂直性）が成立する。
２）直交性は、物理学および形而上学が実時間および実空間を介して結婚する全てのパラダイムの母であることが証明されている。
３）スプリッターは、長さおよび幅において直交性の全体精神を利用できる装置である。
４）この装置宇宙全体は、人間のエネルギーを保存し、かつ科学的な遺産を保存するように設計できる。
５）視線の使い方を知っているならば、存在するのは、まさに蓋然性の世界の場所で確実性のある世界である。
６）微小次元および巨大次元での実工学を度外視できる。
７）一旦科学および工学の独立し、かつ複製可能な世界を確立したならば、技術および機能上の不十分さから人間およびシステムを解放できる。
８）有限の精度をもって未来に延長展開でき、予測かつ推測するために予め指針（可視的で予測可能パラメータ）を樹立できる。
９）結果が原因の力を部分的に変える世界で操作を行うならば、盲目的に原因が結果になる。
１０）目的の正当化を推し進めるなら、因果関係の違反者になる。自然の全ての力は、インスピレーションを得、そして指針を立てるためにあり、また見た目と完全性を予め考えられた結果において融合するためにあり、そして生まれつき因果関係の鼓吹者であることを証明するためにある。
【００３９】
[解像能]
１）直交画像は、形而上学的世界を現す画像である。この世界は、アイソメトリックな形で伸縮する無限に対称的な世界である。時間および空間を等しく分布させることによって全体、あるいは全体性を保つ。
２）解像能は、直交性の水平次元および垂直次元における精神そのものを明白に証明する。
３）対称性または全体性は、個々のユニットをユニット前後によってハイライト照明できる同様な自蔵式予測可能なユニット内で分析できる。
４）全ユニットは個別にそして集団的に境界を定めることができ、精度およびシーケンスをもって相互に接触状態に置くことができるため、人間の視線および時間線を解放できる。
５）これは、概念が全体状況を超えるか、またはマップがテリトリーを越えて膨張する世界であるため、作用ペース以上のペースで事象ペースを見ることができ、予め考えられた最終結果を得ることができる。
６）直交画像はアイソメトリックなパラダイムでそれ自体更新を絶え間なく行い、同時にすぐその場で非直交性画像を更新できるため、作業量全体から解放され、仮想現実または拡大現実から助けを得ることができる。
【００４０】
カーソルをマウスで制御するのと同じ簡単さで工学を制御できるほとんど境界に立っている。
【００４１】
[実施態様]
以下、技術思想、原理またはパラダイムの精神を実行システムにおいてどのように利用するかを詳しく説明する。
【００４２】
１．直線は、意識および宇宙の第１の形而上学的土台である。精神および物質の固有な潜在可能性を表すのは直線である。
２．普遍視覚として直線は、一方で、物体の、それが物質であることの全体的な証明を表し、他方で、精神および物質が直線に時間的に同調（時間）し、空間的に同調（空間）するかのように（宇宙定数）、人間の全視覚の自在さを表す。
３．直線の全体としての神聖性は、直交性において具現化され、かつ繰り込まれている。第１次元としてみなされる直線の固有な潜在可能性に影響せずに直線を比例関係および絶対的対称関係で伸張かつ膨張させるのは直交性である。
４．直交性は、人間の全潜在可能性を正確に模倣またはエミュレートし、かつ
Ｉ．視覚的な自在性、
ＩＩ．精神的な自在性、
ＩＩＩ．作用上の自在性、
の所定の順で、人間の全潜在可能性を特異的かつ集団的に凌ぐ自明な普遍的パラダイムである。
【００４３】
Ｉ）視覚的な自在性については、直交性は、純粋な光学的解像能を介して長さおよび幅の点で形而上学的（不可視）世界における人間の視覚を正常かつ自然に延長するものである。
ＩＩ）精神的な自在性については、直交性は、先験的な形で、即ち絶対的必然性および明確な可能性の世界で作用しなければならないという形で、普遍的な視線を通して非可変性の正常かつ自然な世界を与える。
ＩＩＩ）操作上の自在性については、直交性は、人間の手馴れた作用パラメータを自由かつ過剰に与えて、シーケンスまたは作用線の固有なステップを選択できるものである。
【００４４】
要約すれば、視線が物体のアイソメトリックな視覚を与えるなら、精神は、これをあたかも期待されたように受け取り、人間の手は、新たに考え出された世界の自由にアクセスできる変化を実行することになる。
【００４５】
直交性は、システムのコンポーネントによって生起した技術的結果を一部変更しても、副次的な結果が生起せず、またこれら副次的な結果が当該システムの他のコンポーネントに伝達されないことを担保する。
【００４６】
５．二次元ユークリッド空間に関して、二つの空間のドット積がゼロの場合、これら空間は直交関係にある。即ち、両者は９０°、換言すればπ/２ラジアンの角度を作る。これは、相互垂直面が非結合の領域にあるからである。
６．直交性は３つの段階で作用する。
Ｉ．両座標が可変な段階、
ＩＩ．一方の座標が非可変で、他方が可変な段階、
ＩＩＩ．両座標が非可変な段階。
【００４７】
スプリッターの場合、両座標は非可変で、違いは、第１次元が実時間（中空管）で、そして直交次元として知られている第２次元が空間非可変である（即ち、全体識別を行うための臨界的空間限界、無限画像または捉えがたい次元を与える）。
【００４８】
７．直交性は、人間の性質と工学との間にある公平性および共感を合理化する。
【００４９】
直交性の基本力学は、“時間”、“空間”および“形態”の制約の影響を受けない。これは、無限かつ明確な可能性の一義的な唯一の開放システムである。即ち、所定の空間および方向にアイソメトリックなシームレス世界として膨張して、観測、評価、証明、技術革新および生産に関する完全に新しい世界を微小次元および巨大次元で生成展開するからである。
【００５０】
この技術革新を“スプリッター”呼ぶ理由は、これが双対性を分割し、以下のように分離を行うからである。
１）相対世界から実世界の分離、
２）物理学から形而上学の分離、
３）質的世界から量的世界の分離。
【００５１】
技術仕様
以下に、スプリッターの技術仕様を示す。
目的：最終的な指針を立て、精神および機械の不十分さを補償する。
モード：光学
入力：全体識別のための画像（２Ｄ/３Ｄ画像）
機能：全体識別および誤差のない作用のためのデジタル/アナログ機能。機能の破綻のない連続性は、人間が瞬きできるが、システムが点滅しないときの双方向性のために、直交性によって確保される。
出力：いつでも読み取り可能な量的分析に基づく普遍作用方向。
応用：ダイヤモンド切削、ロボット工学、光学、レーザー、マイクロエレクトロニクス、マイクロ工学、設計評価、および任意の分野における建設。
【００５２】
実施例
１）まず、普遍的に読み取り可能なパラメータにおいて、原料ダイヤモンドを量的質的に分析する。
２）装置が、最も価値の高い製品について多数のオプションを示唆する。
３）切削加工時、装置を見ると必ず、その時点での考えられる最善の手順が示唆されている。
【００５３】
[スプリッターの“普遍線”を案内かつ保護する力]
Ｉ．直線
ＩＩ．宇宙時間および宇宙空間の対称性
ＩＩＩ．直交性
ＩＶ．ＸＹＺ座標
Ｖ．解像能
【００５４】
Ｉ．最も基礎的な形而上学を象徴化する直線
人間の視覚の光学的深度は、日光の光学的深度よりも重要な意味がある。偶然のゲームというよりは選択のスポーツといったほうがより近い“スキート”ファイヤリングにおける人間の視覚を利用できるため、垂直な直線を利用して、宇宙世界の任意の場所で“日時計”を構成できる。
ＩＩ．宇宙時間および宇宙空間の対称性即ち均質性
宇宙世界では、時間および空間は、作用環境を制限または一部変更できる二つの絶対的実体である。あらゆる物理的領域におけるあらゆる物理的法則は明白な、あるいは間接的な時空関係を包摂する。明白な時間および空間は、均質性を示し、人間のエネルギーを保存し、かつ科学的遺産を保存する。時間および空間の均質性のため、物理的現象は常に同じであるため、任意の時間における任意の場所での浮力に関するアルキメデスの原理を反復できる。
ＩＩＩ．直交性
“垂直性”の一般化である簡単な形容詞である直交的という術語は、直角を意味する。ギリシャ語の“Ｏｒｔｈｏｓ”は“真っ直ぐ”なことを意味する。直線は、中核的な応用のための第１次元であり、これに垂直に加えられる第２次元は、直交次元と呼ばれる。直交性は、共通して、
ａ. 光が直交移動するスキャナ、
ｂ．車両のパワートランスミッションの設計、
ｃ．図ＩＶにおいて、外科医が、執刀前に、人間の角膜について直交撮影した写真を質的分析のために調べる場合に、使用される。
直交性のマトリックスにおいて、観察者および観察されたものの質は保存され、また複製可能である。
【００５５】
直交性は、独立した（垂直）定数および従属（水平）定数との間に理想的かつ純粋な関係を設定する。
【００５６】
コンパクト性
コンパクト性は、頭部に簡単に適合する人間の熟知しているパラメータを与える直交性設計の特質である。作用マニュアルは必要なく、何ものも人間精神と人間の働きとの間を妨害しない。
【００５７】
直交性は、入力が常に出力と等しいか、あるいは人間のペースが事象のペースに等しいところでの関係である。一対一の関係であり、変化、制御および作用の方法はただ一つである。
【００５８】
作用目標の全体的な境界区分。これについては、現在、ＣＡＴスキャンおよびＭＩＲシステムによって供給され、患者の三つの直交画像を表示するワークステーションを利用している。添付参考文献“Ａ  Ｐｒｅｃｉｓｉｏｎ  Ｌｏｃａｌｉｓｅｒ  ｔｏ  Ｅｎｈａｎｃｅ  Ａｃｃｕｒａｃｙ  ｉｎ  Ｉｍａｇｅ−Ｇｕｉｄｅｄ  Ｓｕｒｇｅｒｙ”から明らかなように、各直交画像は、二つの空間次元および三つのｘｙｚ座標で表される。
【００５９】
ＩＶ．ＸＹＺ座標
“アイマップ”を参照すれば、ＸＹＺ座標を理解できる。
Ｖ．解像能
【００６０】
既存の科学とスプリッターとの間の実二項対立は 科学に対する“画像”であり、測定できるあらゆるものがささげられる。図Ｉには、時間および空間における画像の解像能、倍率および歪みが示されている。時間および空間から倍率を、そして倍率から解像能を引くか、あるいは分離することは無理である。解像能が全複体の実エッセンスであるため、解像能、倍率および時空からなるこの複体は、観察者の客観性と主観性との間に定義できない差と距離とを作り出している。Ｘが基線の場合、スプリッターによって一端で直線によって、そして他端でＹＺ座標によってガードされた直交性に発生した画像は、“本質的にコンパクト”な三つの時間的な無限成分からなる。
【００６１】
１．実時間および実空間は、倍率に繰り込まれる。
２．倍率は、基線または基礎として物体にアイソメトリックに比例する実水平次元を与える。
３．解像能は、図ＸＶＩに示すように、純粋な垂直次元において対称的な角錐として作られる。従って、スプリッターは、既存のシステム（顕微鏡）内部にそれ自体のワークステーションとして成立し、二つの時間帯で作用する。このうち高次時間帯は、純粋な分析および合成でははるかに先行し、ビデオカメラの速度に応じて最終的な作用方向を与えて、
ａ．相対時間および相対空間の世界（物理）の中心で実時間および実空間の真の双極世界（形而上学）を生成し、
ｂ．予測可能な時間および空間で可視的な最終結果を得、
ｃ．全体現実に関する普遍的な人間の熟知した読み取り可能なパラメータを与えて、精神および機械の誤差を取り除き、
ｄ．サイバー空間内で全現実を生成して、六つの次元および三つのＸＹＺ座標で全識別および作用を行う。
【００６２】
画像が基準ならば、スプリッターの画像出力と（ここでは従来例として使用する）顕微鏡の画像出力との間に比較関係はない。
【００６３】
倍率が、画像の物体に対する線形比較関係であるならば、画像は、スプリッターの物体の両側で次元において絶対比例関係にある。というのは、スプリッターは、顕微鏡の中心で作用するからである。従って、倍率を増減しても、物体の画像は、モニター装置の中心に位置したままである。顕微鏡において、画像出力が間接的で、側方にある場合（図２２）、物体とその画像との間には反比例関係があり、倍率を増減した場合に、物体の画像は偏心移動し、解像能が純粋に垂直な角錐の形で現れることが少なくなる。最終的には、この画像を撮像するためにより大きな開口が必要になり、また顕微鏡を再調節して画像をモニター装置の中心に戻す必要があるため、この画像の全分析に対して“全体”を構成することが不可能になる。
【００６４】
スプリッターおよび顕微鏡（図２０）が生成した画像を比較した場合、純粋な解像能が顕微鏡の画像よりも高さで二倍であるため（真の解像能が完全にぼけている場合には、図Ｉと図ＸＶＩを比較する）垂直次元の余分な高さが、出現していない（形而上学）世界を現し、これが、絶対的で透明な境界区分を与えるため、可視的な予測可能性（可視的未来）を確保できるとともに、安全な作用のための誤差のない帯域を確保でき、機械の不十分さおよび人間精神のあいまい性を補償することができる。ビデオカメラを人間の視覚速度（２４フレーム/秒）の二倍の速度で使用した場合、“秒”が過ぎるたびにどの程度実時間が蓄積するかは、人間の豊かな想像力しだいである。
【００６５】
経済、美観おおび人間工学のほかに、顕微鏡は、人間の目の平均的な眼福をパラダイムとして設計されている。４．２５ｍｍ（スプリッターの内径）を選択することには、なんら科学的根拠もなく、また自由意志でもない。これは、絶対的な選択である。というのは、別な倍率チャンバ（図ＶＩ、図ＶＩＩを参照）をスプリッターの管の下の中心に配設する以外は、照明および倍率を含む顕微鏡の内外の構成および機能的力学を妨害することなく利用できるのは、７ｍｍの安全域のみである。より直径の小さい管を試みたときには、画質に変化が認められなかったことは十分興味深い事実である。
【００６６】
画質
スプリッター
ビームスプリッターを使用する必要はなく、従って外科医の視界が遮られることはなく、切れのよい画像が低い照明で利用できる。
顕微鏡
ビームスプリッターの存在によって外科医とビデオカメラとの間が分離しているため、画像に切れがない。図２２を参照。
【００６７】
画像の中心的位置
スプリッター
倍率を変更しても、画像は中心に位置したままである。
顕微鏡
倍率の増減に応じて、画像は偏心移動する。
【００６８】
画像の案内
スプリッター
スプリッターの画像は、ここでは直交的パラダイムを明瞭に表現するもので、対称的な倍率は、アイソメトリックな解像能に対して直角に固定される。
この画像は、（顕微鏡操作を行っている）その場で、あるいは直交的“全体”でのみ可能な電子装置が存在している離れた場所で、コンピュータまたは観察者によって、完全にトポグラフィックな識別が可能になり、離れた場所から分析、検索、評価、案内操作を個別に実行できる。
顕微鏡
画像が、実際の案内には役立たず、全体的操作手順を計画できない。また、顕微鏡において利用できる解像能は、時空世界から無限の時間のない世界に超越するために不十分である。
【００６９】
疑いなく、解像能および倍率は相互的な一環部分であるが、分析および最終的な指針樹立の領域では、倍率は、解像能に匹敵するものではない。
【００７０】
画像の生成（図２０参照）
スプリッター
スプリッターが生成する画像は、直交性の直線に基礎をおく。
ここでは、時間および空間は、収束光路に従い、そして倍率において合成均質化される。
倍率は、対称関係、同心関係、比例関係およびアイソメトリック関係をもち、一方、解像能は垂直角錐関係をもつ。
顕微鏡
顕微鏡が生成する画像は、非直交性次元に依存する。ここでは、時間および空間は、発散光路に従う。画像が上昇すると、空間において後退し、そして時間において譲歩し、従ってあらゆるものが、水平方向に並置する。時間および空間の異質の力が、最終的に画像構成の解像能を抑制する横向き化として知られている非対称関係、偏心関係および反比例関係の倍率を生成する。
【００７１】
画像の捕捉
スプリッター
画像解像能の先端の尖った、円錐構成のため、画像を捕捉するためにＣ−マウントの非常に小さな開口が必要である。
顕微鏡
画像サイズから明らかように、画像を捕捉するためには、より大きな開口が必要であり、またより高い照明が必要である。
【００７２】
メリアムウェブスターの辞書の定義によれば、実時間は、事象の生起、およびその出力または記録はほぼ同時である。
実時間の形容詞的用法では、コンピュータがデータを集め、これを計算し、計算結果を使用して、プロセス発生時にこれを制御するコンピュータ動作の仕事を意味する。
【００７３】
[スプリッターの作動方法]
これは、普遍的な動作トレランスを、自動中心化、自動フォーカシング、自動検索、自動識別、自動操作、そして最終的に全自動化の形で与える。“補助”の世界から最終的な“指針”の世界への黙示録的な変化を生成する。
１．空間トレランスは、“臨界的空間制限”に基づいて、時間的無限画像を生成する。
２．時間トレランスは、十分な時間を確保して、オペレータが物体に対して“正確な点接触状態”を実行できるようにする。
３．動作トレランスは、現在に強く根付いている変化をリードし、選択された空間次元で予め考えられた方向を定め、必要な最終結果を得る。
４．鏡像対称性は、フランク・ヤングおよびリーによって発見された現象で、物体と鏡像は、同じ法則に従い、機能的にあらゆる点で等価である現象である。
【００７４】
[人間の限界]
人間は、二つのみの空間次元を認識でき、一つの空間次元（方向）で行動する。
物理学では、人間の潜在可能性が、可能性の世界を実現化し、そして形而上学では、物体の固有な潜在可能性が、人間を案内して、可能性を実現化する。
相対性の世界は、時間および空間に閉じ込められているに過ぎなく、現実の世界（形而上学）は因果関係に閉じ込められている。
【００７５】
ここで、全システムは、オペレータの延長である。これは、人間に熟知させることが必要のない純粋な人間工学である。相対時間および相対空間の時間的な世界で、オペレータがシステムの延長であって、現在曖昧なものから現在曖昧な別なものに、予見および未来について具体的な知識なしに移動する場合、人間は、常に安全かつ慣れていると感じている方向を採用しようとする。
【００７６】
[スプリッターの作用効果]
１．内径が４．２５ｍｍの中空管によってこの画像を捕捉することは、可能であった。
２．必要な光学的コンポーネントがきわめて少ない。
３．低照明できわめてシャープな画像が生成し、画像欠損や分散がない
４．低照明なため、コントラストがよくなり、また視覚深度の感覚が大きくなる。
５．固有な倍率、ＸＹ併進およびフォーカシングシステムを備えた全体が分離した視覚リレーシステムである。
６．この光学装置は、“実行可能な光学および評価システム”として作用できる。即ち、オペレータは瞬きできるが、システムは点滅できない完全なインスピレーション源および技術革新源である。
７．利用できるあらゆる付属部品を受ける光学的開口を与える。
８．ここでは、人間のペースは、事象のスペースと一致する。
【００７７】
[スプリッター画像の次元]
この全体画像の発見は、並外れて重要な発見である。理由は、人類史上初めて人間が以下のことができることを明らかにしたからである。
１．因果関係の連鎖を断ち切ることができる。時空のパラドックスを視差に変更することによって、実時間および実空間で仕事を実行できる。
２．原因と結果との間に働く独立した微妙な作用力。
３．作用力の定義可能な方向への定量化。
４．ａ）自動中心化、ｂ）自動フォーカシング、ｃ）全自動化、ｄ）自動操作を対象とする固有な潜在可能性をもつ唯一のシステム。これは、世界が、人間が全く介入することなく、換言すれば自蔵式かつ自動制御式ロボットを使用して、全ロボット化手術を実行できるシステムを手元に用意できたことの嚆矢である。
５．人間がこの画像に関して“全体”を生成し、これを即座に投影できるため、所定の制限内で相対変化を固定できる不変な軸および不変な画像を手元に用意できる。
６．この画像は、人間の最大の視覚に関する無味乾燥な精神的キャパシティに一致し、かつこれを励起するものである。
７．この画像は、機械、オペレータおよび外界世界の間を実時間で相互作用させる“電子的装置が共存している”ネットワークを作るものである。
８．この画像は、法則が支配するシステムから固有な法則をもつ世界への黙示録的なシフトをもたらし、そこでは、作用テリトリーに先行し、かつこれを凌駕するマップを使用して未来に参入することができる。
９．この画像は、ａ）自動変更ネットワークを設計でき、ｂ）本来想像してきたように振舞うことが可能な選択された経験を生み出す唯一のパラダイムを歴史上初めて提供するものである。
【発明を実施するための最良の形態】
【００７８】
図１は、３ステップ倍率顕微鏡を生成画像とともに示す３Ｄ概略図である。即ち、図１は、画像と共に既存の顕微鏡を示す図である。画像は全情報を与えることができないため、仮想現実および拡大現実をシステム内に取り込み、オペレータの個々の特権に基づいて画像を“格上げする”（ここでは、予め指針はない）。
【００７９】
顕微鏡は、機械の構成的および機能的一体性に干渉することなく、スプリッターを配設する必要があるそんな小さな空間を表示する。
【００８０】
図２は、神経手術を対象とした電子制御式誘導顕微鏡を示す図である。この場合、画像は、顕微鏡からマッチング処理のためコンピュータに変動するか、コンピュータから変動し、顕微鏡の接眼レンズに重ねられるため、執刀している外科医が、物体の相対的で不完全な観察を行うことが簡単になる。
【００８１】
図３は、人間の角膜の直交的に捕捉した画像を調べることによって、外科医がいずれ行う手術プランを検討している状態を示す図である。
図１、２および３は、スプリッターのインスピレーション源である既存の工学を示す図である。
【００８２】
図４は、スプリッターによって生成した直交性視覚双方向性を示す図である。
【００８３】
図６は“製造”である。
図６−１は、光学的パワーがスプリッターのための既存顕微鏡と同じである、新しい独立した可動光学的チャンバを構成するために利用できる空間とともに、二つの光学的チャンバを備えた既存の３ステップ倍率顕微鏡を示す底面斜視図である。
図６−２は、二つの光学的チャンバの既存レバーがどのようにして、独立してフォーカシングを行うスプリッターの第３光学的チャンバを収容するレバーになるかを示す図である。この場合、矢印“Ｂ”で示すように、マイクロギヤ（矢印“Ａ”で示す）を備えた独立したレバーは、光学的チャンバのマイクロギヤストリップに設ける。
図６−３は、（矢印で示す）マイクロギヤストリップを備えた特殊な光学的チャンバを示す図である。
【００８４】
図７は、二つの既に存在している光学的チャンバ（“Ｂ”）の間に軸上光学的チャンバを付設することによって、特にスプリッターのために工夫した既存の３ステップ顕微鏡を示す底面斜視図である。
【００８５】
図８は、接眼レンズのための二つの既に存在している孔“Ｂ１”、“Ｂ２”および二つの付設した孔（一つは“Ｓ”でスプリッター用のもので、もう一つは“Ａ”でパターンプロジェクター用のものである）を示す顕微鏡の上面図である。
【００８６】
図９は、スプリッターの上面斜視図“Ａ１”および側面図“Ａ２”で、図８に示すように、スプリッターを挿入するために顕微鏡に孔を付設してある。
【００８７】
図１０および図１１は、スプリッターの既存の顕微鏡への搭載方法を示す図である。
図１２は、顕微鏡のスプリッター１０のステージ１とともに、特に専用を目的として設計したスプリッター１０のＸＹＺ併進装置２０を示す図である。
【００８８】
図１３は、スプリッター１０とマウントアダプターＣを備えた顕微鏡のステージ２を示す図である。
【００８９】
図１４は、Ｃマウントアダプター“Ｅ”に取り付けたビデオカメラのステージ３を示す図である。
【００９０】
図１５は、中央に配設したスプリッター１０の両側に取り付けた接眼レンズ“Ｇ１”、“Ｇ２”をもつ顕微鏡のステージ４を示す図である。
【００９１】
図１６は、純粋な解像能の特有な画像とともにスプリッターを示す概略図である。
【００９２】
図１７は、スプリッターおよびその必要な付属装置を取り付けた既存の顕微鏡を示す概略斜視図である。
【００９３】
図１８は、光学的付属装置、ここでは単眼顕微鏡“Ｈ”をスプリッター“Ａ”に取り付けるのが如何に簡単であるかを示す図である。
【００９４】
図１９は、スプリッター１０を取り付けた眼科用顕微鏡を示す図である。
図１９−１は、通常のパターンを使用して、人間の眼底（目の基部）を調べる眼科用顕微鏡のヘッドを示す図である。
図１９−２は、パターンを変えるレバー１、パターンをフレーム化するソケット２、およびパターンを直角に向けるプリズム３を有する眼科用顕微鏡のヘッドを示す図である。
図１９−３は、眼科用ヘッド（図８）の前側に取り付ける管を示す図である。
図１９−４は、パターンプロジェクターの側面図である。
【００９５】
パターンプロジェクターについては、円錐形にテーパ加工するが、これは、接眼レンズの眼幅を調節するためである。
【００９６】
専用のＸＹＺ並進装置については、機械的に動作するように設計して、スプリッターが直交精査を強化し、作用範囲を広げるようにする。
【００９７】
図２０は、左側ではスプリッターを介して、そして右側では通常の顕微鏡を介して撮像した画像の構成的幾何的相違を明示する図である。
スプリッターの画像
実時間および実空間が倍率に均等に繰り込まれ、そして倍率が解像能に対称的に埋め込まれる。
顕微鏡の画像
相対時間、相対空間、倍率および解像能が均等に並置される。図２２も参照。
【００９８】
図２１は、固有な倍率システムおよび撮像画像とともに、“直交性”のパラダイムとスプリッターの構造的関係との間にある幾何学的対称性を示す図である。
【００９９】
図２２は、非直交次元がどのようにして顕微鏡の側部開口を介して部分的でかつ不完全な画像を生成するかを示す図である。ここで、“Ｉ”はビームスプリッター、“Ｅ”はＣ−マウントアダプター、そして“Ｆ”はビデオカメラである。
【０１００】
図２３は、スプリッターがどのようにして無料で利用できる工学の作用性を強化するかを示す図である。
【０１０１】
１．効果：解像能と倍率との間にある関係に基づいて比較を行う。
２．サイズ：スプリッターは、既存の構造的構成および機能を妨害せずに、任意の小型の顕微鏡に搭載できる。スプリッターは、撮像に使用される顕微鏡の光学的パーツの半分を不要にでき、また任意の利用できる光学的装置（例えば、双眼顕微鏡）および治療用付属装置（例えば、レーザー装置）を装着することによって垂直次元において延長できる。現在のところ、顕微鏡は、平方インチ当たり数千ドルがかかる付属装置を装着するために水平（図２４）に延長している（価格を低く抑えるのが理由である）。
【０１０２】
直交性の機能的な位置が、顕微鏡の多くの光学的パーツ、例えば、ビームスプリッターを不要にすることを可能にし、付属装置の水平装着を垂直次元装着にシフトすることを可能にするため、人間の目と直交性の主要性質の一つである物体との間にあたかも何も存在しないように、顕微鏡サイズをできるだけ小さくできる。
【０１０３】
なお、効果の関係は、また、スプリッターがどのようにして付属工学装置を未来に延長するかを示す主要標識である。
【０１０４】
図２４−２５は、スプリッターがどのようにして選択的に使用する付属装置の構成に画期的なシフトをもたらすかを示す図である。
１．スプリッターの中空管が、付属装置の水平方向の拡張を垂直方向に劇的にシフトでき、白い境界によって区分されている従来の顕微鏡のビームスプリッターの機能を外径が６．２ｍｍに過ぎない垂直管によって置き換えることができる。
２．スプリッターに垂直装着した単眼顕微鏡を、既存の顕微鏡に水平装着した双眼顕微鏡によって置き換えることができる。
【０１０５】
図２６は、スプリッターのシームレス管を設計する理由を示す図である。
Ｊ：シームレス管は、継ぎ目がない一体的なもので、硬質材料から旋盤加工できるため、強度が均一である（図１を参照）。
Ｋ−Ｌ−Ｍ−Ｎ：設計エンジニアの技術上のアドバイスに従って継ぎ目を意図的に排除した。理由は、継ぎ目は工具の最弱点であり、継ぎ目を作るためには、厚いプレートからなるスプリッターのヘッドが必要であり、また管を支持し、そして顕微鏡のスムーズなアラインメントおよび機能に必ず邪魔になる光軸のアライメント状態を維持するのに余計なカラー部材が必要になるからである。
継ぎ目を排除するもう一つの理由は、壊れやすいスプリッターの管は、重量のある工学的装置を収容する必要があり、またそれ自体の光軸を中心にして３６０度自由に回転する必要があるからである。図２を参照。
Ｏ−Ｐ：管を配設するための支持体が顕微鏡には利用できないため、丸いソケットとして支持体を設計し、管を自由に回転できるようにするとともに、選択的に使用する付属装置の重量を支えるようにした。図３を参照。
【０１０６】
シームレス管は、精度、臨界的アラインメントおよび見た目が必要条件の場合では、基本的な必要条件でもある。
【０１０７】
図２７は、スプリッターの各種用途を示す図である。
直交配置された“Ｒ”の場合、スプリッター“Ａ１”は共通物体“Ｓ”に対して装置“Ｑ”で作用するか、あるいは、その関係が、“Ａ２”で示すように、直交関係“Ｒ”ならば、スプリッター“Ａ１”は、物体としてみなされる装置（例えば、旋盤機械）で作用する。
【０１０８】
図２８は、スプリッターの作用直交性に対する直交性画像および非直交性画像の関係および比較を示す図である。
[スプリッターの工学的コンポーネントの簡単な説明−図１６および図１７の説明でもある]
【０１０９】
１．軸上（図７）
２．直交性画像撮像システム
３．独立ＸＹＺ並進装置
４．ファインフォーカシングの独立システム
５．３６０°走査/アライメントシステム
６．Ｃ−マウントアダプター
７．３６０°案内/アライメントシステム
８．ビデオカメラ
９．簡単な物体分析/操作を対象とするパターンプロジェクター
１０．Ｃ−マウントアダプターまたは他の選択的に使用する付属装置、あるいはハロゲン/キセノン光の投影、レーザ適用またはパターン投影に使用する中心光ビーム
【０１１０】
[スプリッター]
これは、真の意味で、ヘッドが複数の付属装置を収容するシームレス管である技術革新の“頼みの綱”と呼ぶことができるものである。
【０１１１】
スプリッターのシームレスという特徴、また長さおよび幅には、技術革新上の優先的な意味や科学的な意味はない。これは、あらゆる顕微鏡が、中空管を装着するにはあまりにも小さくかつ安全な空間しかもたないという調和のない運命に過ぎない。
【０１１２】
管のシームレスという特徴、長さおよび内径には科学上の基礎や技術革新上の優先的な意味はない。即ち、管は、静止モードでは直交的幾何学構成に一致していればよく、また力学的モードでは直交性機能そのもの精神を捕捉すればよい。内径もＣ−マウントアダプターの最小の開口に一致していればよい。
【０１１３】
直交性を公理化するほかに、スプリッターの他の機械的機能的用途には次のことがある。
Ｉ．付属装置の重量を支えるとともに、光軸を絶対に垂直に保持する強度をもつ。
ＩＩ．低照明で、ビームスプリッターなどの何らかの光学的付属装置を使用することなく切れのある実画像を撮像できる。
ＩＩＩ．キセノン光やレーザ治療に管を用いる場合、外科医の目を保護する。
Ｃ−マウントカメラにＣ−マウントアダプターを装着すると、ビデオカメラになる。
【０１１４】
複製可能な画像で随伴する工学技術を超越する独立垂直光軸で、スプリッターは作用するため、光学的には、そして機能的には、以下の点で有用である。
１．光学
（ａ）無限フォーカシング
（ｂ）認識の無限深さ
（ｃ）無限な工学的比例関係
（ｄ）純粋な解像能
２．機能
（ａ）自動識別
（ｂ）自動中心化
（ｃ）自動分節化
（ｄ）自動動作
（ｅ）自動化または完全ロボット動作
【０１１５】
レバーを用いて、Ｃ−マウントアダプターの撮像光学系を中空管から引き出した後は、中空の光学的開口を自由に利用できる。
１．物体へのパターンの投影。例えば、同心円を球状体に投影することによって、物体の特徴をマイクロミリメータ単位で測定できる。
２．レーザ治療の計算された応用。角膜の屈折力を変えるために、また表面または深い部位にある癌の治療にレーザが普遍的に使用されているためである。
【０１１６】
管の長さは、ズーム顕微鏡または３ステップ倍率顕微鏡に使用する場合には、変更できる。いずれの顕微鏡においても、管は、“共焦点”位置を占めるか、主光軸で作用して、いつでも読み取り可能な三次元の普遍画像を生成する。
【０１１７】
スプリッターが主光軸上で作用する３ステップ倍率顕微鏡の場合、可動倍率チャンバを備えた独立光学的開口については、動作している顕微鏡にこれが随伴するが、フォーカシングを独立して行える。光学的パーツ図６のＮｏ．１、２、３、４およびＳを参照。
【０１１８】
[“スプリッター”のために行った主技術革新]
１．“軸上”画像を対象として“中心倍率光学的チャンバ”を製造する。図６および図７を参照。
２．既存の顕微鏡の画像にサイズが全体として一致する細い管（内径：４．２５ｍｍ）介して、光学的パーツを全く使用せずに、低照明実時間で実画像を撮像する。図８、９、１０、１１を参照。
３．物体分析時のコンピュータおよび操作時のオペレータの扶助となるパターンプロジェクター。図１９を参照。
４．単眼顕微鏡、双眼顕微鏡やビームスプリッターなどのすべての光学的付属装置が必要なくなる。
５．パターンの投影にもスプリッターを使用できる。即ち、ハロゲン光、キセノン光、レーザの適用によって、レバーを使用して光学的開口を変えることができる。
【０１１９】
[スプリッターを進んだ時間帯に保持する力]
１．中心倍率光学的チャンバ（図７）およびスプリッター（図９）があるため、直交性によって物体と画像との間に変化のない“関係”が維持される。
２．通常のビデオカメラが、“関係”に対して破綻のない連続性を確保するため、真の“映像”を与える（図１５）。
３．コンピュータがこれら映像を作用指針に従って分析する（図４）。
４．パターンの投射（図１９）によって、コンピュータ分析、オペレータの実行が簡単になり、また双方向性のパラダイムが完成する。
【０１２０】
[重要な用語の定義]
１．全体：全体を分析でき、全体を観察できる。
２．実時間：観察、分析および作用を同時（瞬時）に行える時間である。
３．静止時間：オペレータが機械を操作していない連続性のギャップ。
４．帰納：周囲から中心に創造的インパルスが作用する時間。具体的には、神経外科用顕微鏡。
５．演繹：創造的インパルスが中心から周囲に作用する時間。具体的には、直交捕捉したマップ上での手術。
６．普遍パラダイム：経験に関係なく選択はないが、作用方向に従う必要がある時間。
７．中心に配設した光学システム：全ての屈折面および全ての反射面が中心を共通軸上にもち、そして物体と画像との間に点、線および場所に関して完全な対応関係があるシステム。これは、画像の全ての移動光線が光軸近くに制限されているためである。
８．時間的に無限の画像：構成するために単一空間次元が必要なく、また画像を完成するために単一時間の長さを必要としない画像。
９．真理：矛盾のない透明な状態。
１０．時間的世界：逐次世界。
１１．一つの時間的世界：実世界/時間的に無限な世界。
１２．共役：実往復関係における継ぎ目。即ち、“Ｉ”が“０”の画像で、“Ｉ”が物体化されたならば、画像は“０”である。
【０１２１】
以上、いくつかの実施態様について本発明を説明してきたが、当業者にとっては、本開示に含まれる技術内容を応用して、変更、改変などを実施できることは自明なはずである。
【図面の簡単な説明】
【０１２２】
スプリッターの組み立て順が総合的に理解できるように、従来例、およびスプリッターの主要構成成分の製造の工程順を添付図面に明示的かつ暗黙的に示す。
【図１】３ステップ倍率顕微鏡を生成画像とともに示す３Ｄ概略図である。
【図２】神経手術を対象とした電子制御式誘導顕微鏡を示す図である。
【図３】人間の角膜の直交的に捕捉した画像を調べることによって、外科医がいずれ行う手術プランを検討している状態を示す図である。
【図４】スプリッターによって生成した直交性視覚双方向性を示す図である。
【図５】スプリッターとともに組み立てたユニットを示す図である。
【図６】本発明の製造工程を示す図である。図６−１は、二つの光学的チャンバを備えた既存の３ステップ倍率顕微鏡を示す底面図である。図６−１Ａは、図６−１の二つの光学的チャンバを示す図である。図６−２は、二つの光学的チャンバの既存レバーを示す図である。図６−３は、マイクロギヤストリップを備えた特殊な光学的チャンバを示す図である。図６−４は、二つのチャンバの既存レバーに取り付けた特殊な光学的チャンバを示す図である。図６−５は、図６−１、６−２および６−４の構成を示す底面図である。
【図７】特にスプリッターのために工夫した既存の３ステップ顕微鏡を示す底面斜視図である。
【図８】顕微鏡の上面図である。
【図９】スプリッターの上面斜視図“Ａ１”および側面図“Ａ２”である。
【図１０】スプリッターの既存の顕微鏡への搭載方法を示す図である。
【図１１】スプリッターの既存の顕微鏡への搭載方法を示す図である。
【図１２】顕微鏡に搭載したスプリッターを示す正面図である。
【図１３】Ｃ−マウントアダプターを示す斜視図である。
【図１４】Ｃ−マウントアダプター“Ｅ”に取り付けたビデオカメラ“Ｆ”を示す図である。
【図１５】中央に設置したスプリッターの両側に取り付けた二つの接眼レンズを示す顕微鏡の斜視図である。
【図１６】純粋な解像能の特有な画像とともにスプリッターを示す概略図である。
【図１７】スプリッターを取り付けた既存の顕微鏡を示す概略斜視図である。
【図１８】非接眼式顕微鏡を示す斜視図である。
【図１９】スプリッターを取り付け、以下の詳細な特徴をもつ顕微鏡を示す斜視図である。  図１９−１は、眼科用顕微鏡のヘッドを示す正面図である。  図１９−２は、ヘッドの正面図である。  図１９−３は、管を取り付けた眼科用ヘッドを示す正面図である。  図１９−４は、パターンプロジェクターの側面図である。
【図２０】左側ではスプリッターを介して、そして右側では通常の顕微鏡を介して撮像した画像の構成的幾何的相違を示す図である。
【図２１】固有な倍率システムおよび撮像画像とともに、“直交性”のパラダイムとスプリッターの構造的関係との間にある視力対称性を示す図である。
【図２２】顕微鏡の側部開口を介して部分的でかつ不完全な画像を生成する非直交次元の効果を示す図である。
【図２３】スプリッターがどのようにして無料で利用できる工学の作用性を強化するかを示す図である。
【図２４】選択的に使用する付属装置の構成においてスプリッターがどのようにして量子シフトを作り出すのかを示す図である。
【図２５】選択的に使用する付属装置の構成においてスプリッターがどのようにして量子シフトを作り出すのかを示す図である。
【図２６】スプリッター要部であるシームレス管を示す図である。
【図２７】スプリッターの各種用途を示す図である。
【図２８】スプリッターの作動直交性に対する直交性画像および非直交性画像の関係および比較を示す図である。
【符号の説明】
【０１２３】
１：レバー、
２：ソケット、
３：プリズム、
１０：スプリッター、
２０：ＸＹＺ並進装置、
Ｃ：マウントアダプター
Ｅ：Ｃ−マウントアダプター、
Ｆ：ビデオカメラ、
Ｇ１、Ｇ２：接眼レンズ、
Ｈ：単眼顕微鏡。
【図１】
2009106731.tif 000003
【図２】
2009106731.tif 000004
【図３】
2009106731.tif 000005
【図４】
2009106731.tif 000006
【図５】
2009106731.tif 000007
【図６】
2009106731.tif 000008
【図７】
2009106731.tif 000009
【図８】
2009106731.tif 000010
【図９】
2009106731.tif 000011
【図１０】
2009106731.tif 000012
【図１１】
2009106731.tif 000013
【図１２】
2009106731.tif 000014
【図１３】
2009106731.tif 000015
【図１４】
2009106731.tif 000016
【図１５】
2009106731.tif 000017
【図１６】
2009106731.tif 000018
【図１７】
2009106731.tif 000019
【図１８】
2009106731.tif 000020
【図１９】
2009106731.tif 000021
【図２０】
2009106731.tif 000022
【図２１】
2009106731.tif 000023
【図２２】
2009106731.tif 000024
【図２３】
2009106731.tif 000025
【図２４】
2009106731.tif 000026
【図２５】
2009106731.tif 000027
【図２６】
2009106731.tif 000028
【図２７】
2009106731.tif 000029
【図２８】
2009106731.tif 000030
【外国語明細書】
2009106731.tif 000031
2009106731.tif 000032
2009106731.tif 000033
2009106731.tif 000034
2009106731.tif 000035
2009106731.tif 000036
2009106731.tif 000037
2009106731.tif 000038
2009106731.tif 000039
2009106731.tif 000040
2009106731.tif 000041
2009106731.tif 000042
2009106731.tif 000043
2009106731.tif 000044
2009106731.tif 000045
2009106731.tif 000046
2009106731.tif 000047
2009106731.tif 000048
2009106731.tif 000049
2009106731.tif 000050
2009106731.tif 000051
2009106731.tif 000052
2009106731.tif 000053
2009106731.tif 000054
2009106731.tif 000055
2009106731.tif 000056
2009106731.tif 000057
2009106731.tif 000058
2009106731.tif 000059
2009106731.tif 000060
2009106731.tif 000061
2009106731.tif 000062
2009106731.tif 000063
2009106731.tif 000064
2009106731.tif 000065
2009106731.tif 000066
2009106731.tif 000067
2009106731.tif 000068
2009106731.tif 000069
2009106731.tif 000070
2009106731.tif 000071
2009106731.tif 000072
2009106731.tif 000073
2009106731.tif 000074
2009106731.tif 000075
2009106731.tif 000076
2009106731.tif 000077
2009106731.tif 000078
2009106731.tif 000079
2009106731.tif 000080
2009106731.tif 000081
2009106731.tif 000082
2009106731.tif 000083
2009106731.tif 000084
【図１】
2009106731.tif 000085
【図２】
2009106731.tif 000086
【図３】
2009106731.tif 000087
【図４】
2009106731.tif 000088
【図５】
2009106731.tif 000089
【図６】
2009106731.tif 000090
【図７】
2009106731.tif 000091
【図８】
2009106731.tif 000092
【図９】
2009106731.tif 000093
【図１０】
2009106731.tif 000094
【図１１】
2009106731.tif 000095
【図１２】
2009106731.tif 000096
【図１３】
2009106731.tif 000097
【図１４】
2009106731.tif 000098
【図１５】
2009106731.tif 000099
【図１６】
2009106731.tif 000100
【図１７】
2009106731.tif 000101
【図１８】
2009106731.tif 000102
【図１９】
2009106731.tif 000103
【図２０】
2009106731.tif 000104
【図２１】
2009106731.tif 000105
【図２２】
2009106731.tif 000106
【図２３】
2009106731.tif 000107
【図２４】
2009106731.tif 000108
【図２５】
2009106731.tif 000109
【図２６】
2009106731.tif 000110
【図２７】
2009106731.tif 000111
【図２８】
2009106731.tif 000112